(57)【要約】 【課題】外観上は普通のパンツと変わらず違和感なくと着用することができ、且つ、着脱も容易で介護者の負担も軽減できる使い勝手の良い介護用パンツを提供する。【解決手段】股間部１と、その一端側に連続して設けた覆い部２と、他端側に連続して設けた後身頃３と、後身頃３の両側部より側方に延出する右前身頃４ａと左前身頃４ｂを備える。右前身頃４ａと左前身頃４ｂの端部を腹部側において重ね合わせ、この重ね合わせ部分を着脱自在に結合させて前身頃４を構成し、前身頃４の上に覆い部２を重ね合わせてその先端部２ａを前身頃４に着脱自在に結合させる。【選択図】図１
2009018096.tif 000002
【特許請求の範囲】
【請求項１】
股間部と、その一端側に連続して設けた覆い部と、他端側に連続して設けた後身頃と、当該後身頃の両側部より側方に延出する右前身頃と左前身頃を備え、前記右前身頃と左前身頃の端部を腹部側において重ね合わせ、当該重ね合わせ部分を着脱自在に結合させて前身頃を構成すると共に、当該前身頃の上に前記覆い部を重ね合わせてその先端部を前記前身頃に着脱自在に結合させて構成したことを特徴とする介護用パンツ。
【請求項２】
前記股間部を２重構造として、間に吸水性パットを挿入可能としたことを特徴とする請求項１に記載の介護用パンツ。
【請求項３】
前記覆い部の基端部を前記前身頃に着脱自在に結合させて、前記覆い部と前記前身頃の重合部に尿や便を一時的に溜めておく容器や予備の前記パットを保持可能としたことを特徴とする請求項１または請求項２に記載の介護用パンツ。
【請求項４】
抗菌性、防臭性に優れる素材にて構成したことを特徴とする請求項１から請求項３までの何れかに記載の介護用パンツ。
【発明の詳細な説明】
【技術分野】
【０００１】
本発明は、主として歩行が困難な障害者、認知症や尿失禁症の高齢者が着用して好ましい介護用パンツに関するものである。
【背景技術】
【０００２】
近年、歩行が困難で介護が必要な障害者、認知症や尿失禁症のある寝たきりの高齢者（被介護者）のための介護用パンツとして、汚物処理が容易な使い捨の紙おむつが普及している（特許文献１）。
【０００３】
ところが、このような介護用の紙おむつは、幼児用の使い捨て紙おむつと外観や構造やが全く同じであることから、介護用パンツとして紙おむつを着用することに嫌悪感や劣等感を抱く被介護者も多く、ましてや、介護者に紙おむつを装着される場合には自尊心が傷つけられ、このことが被介護者の心の健康にも大きく影響することになる。
【０００４】
また、日々行う紙おむつの交換は、介護者にとっても大きな負担であると共に、被介護者にとっても、汚物が付着した下着を身に付けていることは非衛生的であり、好ましいものではなかった。
【特許文献１】特開２００７−０２９６１２号公報
【発明の開示】
【発明が解決しようとする課題】
【０００５】
本発明は、上記事情に鑑みなされたもので、外観上は普通のパンツと変わらず、違和感なく着用することができ、且つ、着脱も容易で、介護者の負担も軽減できる使い勝手の良い介護用パンツを提供することを目的としている。
【課題を解決するための手段】
【０００６】
すなわち、請求項１に記載の介護用パンツは、股間部と、その一端側に連続して設けた覆い部と、他端側に連続して設けた後身頃と、当該後身頃の両側部より側方に延出する右前身頃と左前身頃を備え、前記右前身頃と左前身頃の端部を腹部側において重ね合わせ、当該重ね合わせ部分を着脱自在に結合させて前身頃を構成すると共に、当該前身頃の上に前記覆い部を重ね合わせてその先端部を前記前身頃に着脱自在に結合させて構成したことを特徴している。
ここで、介護用パンツとは、介護が必要な障害者や自分で排泄処理ができる障害者、或いは高齢者が着用するパンツのことをいう。
【０００７】
また、請求項２に記載の発明は、請求項１に記載の介護用パンツにおいて、前記股間部を２重構造として、間に吸水性パットを挿入可能としたことを特徴としている。
【０００８】
また、請求項３に記載の発明は、請求項１または請求項２に記載の介護用パンツにおいて、前記覆い部の基端部を前記前身頃に着脱自在に結合させて、前記覆い部と前記前身頃の重合部に尿や便を一時的に溜めておく容器や予備の前記パットを保持可能としたことを特徴としている。
【０００９】
また、請求項４に記載の発明は、請求項１から請求項３までの何れかに記載の介護用パンツにおいて、抗菌性、防臭性に優れる素材にて構成したことを特徴としている。
【発明の効果】
【００１０】
請求項１〜４に記載の発明によれば、後身頃の両側部より側方に延出する左右前身頃の端部を腹部側において重ね合わせて前身頃を構成し、さらに、この前身頃を覆い部にて覆う構成としたので、腹部側において前身頃の重ね合わせ部分が覆い部にて覆い隠されることで、外観上は普通のパンツと全く変わらなくでき、おむつを着用しているようには見えないため、着用者は何ら違和感や劣等感、嫌悪感等を感じることなく、通常のパンツを使用する感覚で着用することができる。この結果、介護用パンツを着用することによる被介護者のストレスが軽減され、精神的な安定が得られる。
【００１１】
また、排泄の際は、前身頃から覆い部を外すことで、容易、且つ迅速に股間を開放することができ、介護用パンツを着用したまま排尿や排便を行えるため、排泄が間に合わず心ならずも介護用パンツを汚してしまうことも防止でき、介護が必要な障害者や自分で排泄処理できる障害者や高齢者にとって極めて好ましい下着となる。
【００１２】
また、請求項２に記載の発明によれば、股間部を２重構造とすることにより、間に吸水性のパット（失禁パット）を挿入することが可能となり、これにより、失禁による尿漏れを吸収して、常に好ましい衛生状態を保持できる。しかも、パットの交換はパンツを着用した状態で行えるので、極めて使い勝手が良い。また、軽度の失禁であれば、失禁パットを装着しなくても、この２枚重ね部分で尿漏れを十分に吸収することができる。
【００１３】
また、請求項３に記載の発明によれば、覆い部の基端部が前身頃に結合されているので、覆い部と前身頃の重合部に尿や便を一時的に溜めておく容器（例えば、ウリナールやパウチ）を保持させれば、容器の取り扱いが容易となり、介護者の負担も軽減できると共に、被介護者にとっても動き易くなる。且つ、この場合、被介護者の肌に容器が直接接触しないため、容器を装着した違和感も緩和されると共に、肌を傷付けることもない。
【００１４】
また、請求項４に記載の発明によれば、介護用パンツを抗菌性や防臭性に優れる素材にて構成したので、長時間着用していても、いやな臭いも無く衛生的であり、爽快感が得られる。
【発明を実施するための最良の形態】
【００１５】
以下、図１〜図９に基づいて、本発明による介護用パンツ１０の実施形態を説明する。
【００１６】
本実施形態の介護用パンツ１０は、図１に示すように、長手中間部に括れを有する股間部１と、この股間部１の一端側に連続して設けた三角状の覆い部２と、股間部１の他端側に連続して設けた幅広逆三角状の後身頃３と、この後身頃３の両側部より側方に延出し、長手端部側が下側に張り出した細長帯状の右前身頃４ａと左前身頃４ｂとを備え、展開状態で略Ｔ字となる一体の布体で構成されている。
【００１７】
股間部１の内側には、図３に示すように、股間部１とほぼ同形の厚手の当て布５が設けられ、この当て布５の上下端が股間部１に縫着されており、両側部は非縫着の状態となっている。
右前身頃４ａ、後身頃３、左前身頃４ｂと続く上端縁（ウエスト部分）と覆い部２の先端部２ａには、それぞれ伸縮自在の帯状部材７が縫着されている。
【００１８】
右前身頃４ａの外側両端には、止め具としての面ファスナー１１ｂ（フック側）が設けられ、左前身頃４ｂの内側両端には、これら面ファスナー１１ｂに係合する面ファスナー１１ａ（ループ側）が設けられている（図１参照）。
また、覆い部２の基端部２ｂの内側両端には、止め具としてのスナップ１２ａが設けられ、右前身頃４ａと左前身頃４ｂの外側下端には、これらスナップ１２ａに係合するスナップ１２ｂが設けられている（図１、図５参照）。
さらにまた、覆い部２の先端部２ａの内側両端には、スナップ１６ａが設けられ、右前身頃４ａと左前身頃４ｂの上端縁、すなわちウエスト部分には、これらスナップ１６ａに係合するスナップ１６ｂがそれぞれ複数（３個）横列に設けられている（図６参照）。
【００１９】
尚、上記スナップ１２ａ、１２ｂ、１６ａ、１６ｂにおいては、何れも、スナップテープ１５の周囲に縫い残し部分１８を設けておいて、この縫い残し部分１８よりスナップテープ１５の裏面に指を差し込むことで、スナップの係脱を容易にしている。図９にウエスト部分におけるスナップ１６ｂの取り付けを一例として示し、符号１７は縫着部を示している。
【００２０】
上記した展開状態で略Ｔ字の布体を筒形見頃の介護用パンツ１０に構成するには、先ず、図４、図５に示すように、右前身頃４ａと左前身頃４ｂの端部同士を腹部側において右前身頃４ａを外側にして重ね合わせ、その重ね合わせ部分を面ファスナー１１ａ、１１ｂの係合にて結合させて前身頃４を構成する。
本実施形態では、面ファスナー１１ａ、１１ｂをウエスト周りに細長くして、各々の係合位置を調整することにより、介護用パンツ１０のウエストサイズを適宜調整できるようになっており、且つ、肌に触れる可能性のある布体の内側の面ファスナー１１ａには、柔らかい素材で成るループ側が配設され、ウエストサイズの調整具合で面ファスナー１１ａの一部が直接着用者の肌に触れても肌を傷めないように考慮されている。
【００２１】
次に、図６に示すように、構成された前身頃４の上に覆い部２を重ねて合わせ、スナップ１２ａ、１２ｂとスナップ１６ａ、１６ｂをそれぞれ係合させて、覆い部２の先端部２ａと基端部２ｂをそれぞれ前身頃４の上端と下端に結合させる。ウエスト周りには、スナップ１６ｂが３個横列に設けてあるので、調整されたウエストサイズに応じた位置に覆い部２のスナップ１６ａを係合させる。
図１に示すように、右前身頃４ａと左前身頃４ｂは、長手端部側において下側に張り出しているため、前身頃４に覆い部２を重ねて合わせることで、外観上、通常のパンツと同じように左右対の円形の脚口８が形成された、図２に示す介護用パンツ１０が構成される。
【００２２】
以上、本実施形態によれば、後身頃３の両側縁部より側方に延出する左右前身頃４ａ、４ｂの端部を腹部側において重ね合わせて前身頃４を構成し、さらに、この前身頃４を覆い部２にて覆う構成としており、腹部側において前身頃４の重ね合わせ部分が覆い部２にて覆い隠されることで、図２に示すように、外観上は普通のパンツと変わらない介護用パンツ１０が構成される。よって、被介護者は、この介護用パンツ１０を違和感や劣等感や嫌悪感等を感じることなく、通常のパンツと同じ感覚で着用することができる。
この結果、介護用パンツ１０を着用することによる被介護者のストレスも軽減され、精神的に安定した生活が送れるようになり、ひいては、病状の回復にも大いに貢献できるものとなる。
【００２３】
また、排泄の際は、図８に示すように、前身頃４から覆い部２を外すことで、容易、且つ迅速に股間を開放状態とすることができ、介護用パンツ１０を着用しまま排尿や排便を行えるため、排泄が間に合わず、心ならずも介護用パンツ１０を汚してしまうことも防止できる。
尚、男性の場合は、図７に示すように、前身頃４から覆い部２を一部外して左右前身頃４ａ、４ｂの重ね合わせ部分を露出すれば小用を足すことができる。
【００２４】
また、股間部１を２重構造としているので、その隙間部分６に失禁パット１３を挿入することが可能であり、これにより、失禁による尿漏れを失禁パット１３で吸収して常に衛生状態を良好に保持できる。尚、股間部１に厚手の当て布５を用いているので、失禁パット１３を装着しなくても軽度の失禁であれば、この２枚重ねの部分で尿漏れを吸収することは十分可能である。
また、失禁パットの交換は、図８に示すように、覆い部２を外せば介護用パンツ１０を着用した状態でも行うことができ、且つ、被介護者が起立した状態でも、座った状態や寝ている状態でも簡単に行えるので、介護者の負担も少ない。
【００２５】
また、覆い部２の基端部２ｂを前身頃４に結合させているので、図２に示すように、覆い部２と前身頃４の重合部９を尿や便を一時的に溜めておく容器１４（例えば、ウリナールやパウチ）を保持させるポケットとして利用することができる。このポケットに容器１４を保持させれば、容器１４の取り扱いも容易になり、介護者の負担も軽減されると共に、被介護者も動き易く活動的になる。
加えて、この構造は、容器１４が直接被介護者の肌に接触しないため、容器１４を装着している違和感も緩和されると共に、容器１が触れて被介護者の肌を傷付けることもない。
また、上記ポケットに予備の失禁パット１３を入れておけば、パット交換の際に便利である。
【００２６】
また、上記構成の介護用パンツ１０は、抗菌性や防臭性に優れる素材を用いて構成するのが好ましく、例えば、消臭、抗菌、殺菌効果のある酸化チタンを担持加工した大進熱機株式会社製の光触媒反応用捺染布地が好適である。当光触媒反応用捺染布地は、その消臭、抗菌、殺菌効果等が長期持続するため極めて衛生的であると共に、布地の伸縮性と柔らかい肌触りにより、被介護者の体に心地よくフィットし、体型に合わせてしっかりと着用させることができる。
【図面の簡単な説明】
【００２７】
【図１】本発明の実施形態による介護用パンツを展開した状態を示す図。
【図２】同、介護用パンツを示す図。
【図３】同、介護用パンツの股間部を示す図。
【図４】同、介護用パンツの構成手順を示す図。
【図５】同、介護用パンツの図４とは別の構成手順を示す図。
【図６】同、介護用パンツの図５とは別の構成手順を示す図。
【図７】同、介護用パンツの図６とは別の構成手順を示す図。
【図８】同、介護用パンツを着用した状態を示す図。
【図９】スナップの取り付け状態を示す図。
【符号の説明】
【００２８】
１  股間部
２  覆い部
２ａ  先端部
２ｂ  基端部
３  後身頃
４  前身頃
４ａ  右前身頃
４ｂ  左前身頃
１０  介護用パンツ
１３  吸水性パット（失禁パット）
１４  容器（ウリナール、パウチ）
【図１】
2009018096.tif 000003
【図２】
2009018096.tif 000004
【図３】
2009018096.tif 000005
【図４】
2009018096.tif 000006
【図５】
2009018096.tif 000007
【図６】
2009018096.tif 000008
【図７】
2009018096.tif 000009
【図８】
2009018096.tif 000010
【図９】
2009018096.tif 000011